(57)【要約】【課題】病理試料用カセットを包埋皿（５９）の開口部（２ａ）の周縁に載置した状態で、それらの中に包埋剤を充填して硬化する際、その病理試料用カセットと包埋皿（５９）の開口部（２ａ）の間の周縁に包埋剤のバリの発生を防止する。【解決手段】包埋皿（５９）の開口部（２ａ）の周縁外側に、四角形の病理試料用カセットの外側面と水密に嵌合するための水密枠（１４）を一体的に突設することを特徴とする病理試料用バリ無し包埋皿【選択図】　図５
2004125631.tif 000002
【特許請求の範囲】
【請求項１】
包埋皿（５９）の開口部（２ａ）の周縁外側に、四角形の病理試料用カセットの外側面と水密に嵌合するための水密枠（１４）を一体的に突設することを特徴とする病理試料用バリ無し包埋皿
【請求項２】
包埋皿（５９）の開口部（２ａの周縁外側に、四角形の病理試料用カセットの全外周面（１１ａ）と水密に嵌合するための四角形の水密枠（１４）を一体的に突設することを特徴とする病理試料用バリ無し包埋皿
【請求項３】
水密枠（１４）の高さ（ｈを病理試料用カセットの外周面の高さ（Ｈ）より低くすることを特徴とする請求項１または２記載の病理試料用包埋皿
【請求項４】
包埋皿（５９）の四角形の開口部（２ａの周縁外側における三方に、四角形の病理試料用カセットの三方の外周面（１１ａ）と水密に嵌合する水密枠（１４）を一体的に突設すると共に、前記四角形の開口部（２ａ）の周縁における残る一方に該病理試料用カセットの多孔底面外側（１０ｂ）と水密に嵌合するための水密上端面（４）を上向きに形成するとことを特徴とする病理試料用バリ無し包埋皿
【請求項５】
包埋皿（５９）の開口部（２ａの周縁に、四角形の病理試料用カセットの外側面と水密に嵌合する水密枠（１４）を一体的に突設し、該包埋皿（５９）の周囲をバリ無し包埋枠（１９）で形成し、その包埋枠（１９）の開放底部（１８）を底板（２９）の上面に水密に載置することを特徴とする病理試料用包埋皿
【請求項６】
包埋皿５９）の開口部２ａの周縁外側に、四角形の病理試料用カセットの外側面と水密に嵌合する水密枠（１４）を一体的に突設し、該包埋皿（５９）の周囲をバリ無し包埋枠（１９）で構成し、その包埋枠（１９）の開放底部（１８）を汎用包埋皿（５４）の上面に水密に載置することを特徴とする病理試料用包埋皿
【請求項７】
包埋皿（５９）の開口部（２ａ）の周縁に、四角形の試料用カセットの外側面の下端縁と係合する上端縁（４）を形成することを特徴とする請求項１または２記載の病理試料用バリ無し包埋皿
【請求項８】
上側に開口部（２１）を形成し、その下側に多孔底面（１０）を形成したカセット枠状基体（１１）と、そのカセット枠状基体１１）のカセット開口部（２１）に脱着自在に嵌合する多孔性の通液口（５８ａ）を有する蓋体（５８）からなる病理試料用カセットと嵌合する包埋皿に於いて、前記カセット枠状基体（１１）の外壁の外周面（１１ａ）を病理試料の包埋皿（５９）の水密枠内周面（１４ａ）と水密に嵌合し、該カセットのカセットをミクロトームにワンタッチで脱着するアダプターの掛止め部である該カセットの外周面（１１ａ）と多孔底面外側（１０ｂ）の交差部（１１ｃ）とで該カセットを掛止める形状にし、且つ前記枠状基体（１１）の外壁の外周面（１１ａ）の高さより前記包埋皿（５９）の水密枠内周面（１４ｇ）の高さは低いが該包埋皿（５９）の開口部（２ａ）の水密枠（１４）の厚さは包埋剤（３２）が該枠状基体（１１）の外壁の外周面（１１ａ）と該包埋皿（５９）の水密枠（１４ｇ）の接触尖端部（１４ｅ）に多く溜まらないような厚さ（０．５ｍｍ程）にするか、または該包埋皿（５９）の開口部（２ａ）の水密枠（１４）の尖端部（１４ｅ）に内側から外側に傾斜をつけた包埋皿開口部を有することを特徴とする病理試料の包埋ブロックを形成する包埋皿。
【請求項９】
上側に開口部２１を形成し、その下側に多孔性の通液口を有する底面１０を形成した枠状基体１１と、その枠状基体１１の開口部２１に脱着自在に嵌合する多孔性の通液口５８ａを有する蓋体５８からなる病理試料用カセットに於いて、前記枠状基体１１の方形な多孔底面外側１０ｂの３方外壁の外周面１１ａを病理試料の包埋皿５９（図５Ｂ、６、７Ｂ、８、９）の３方水密枠内周面１４ａと水密に嵌合し、該カセットのカセットをミクロトームにワンタッチで脱着するアダプターの掛止め部である該カセットの外周面１１ａと多孔底面外側１０ｂの交差部１１ｃとで該カセットを掛止める形状にし、且つ前記カセット枠状基体１１の３方外壁の外周面１１ａの高さＨと前記包埋皿５９（図７、８、９の左）の３方水密枠内周面１４ａの高さｈとが殆ど一致する包埋皿開口部２ａを有することを特徴とし、残りの該カセット枠状基体１１の１辺外周面１１ａと該包埋皿５９の１辺水密枠１４は請求項８に記載する形態特徴と機能を有することを特徴とする病理試料の包埋ブロックを形成する包埋皿。
【請求項１０】
上側に開口部２１を形成し、その下側に多孔性の通液口を有する底面１０を形成した枠状基体１１と、その枠状基体１１の開口部２１に脱着自在に嵌合する多孔性の通液口５８ａを有する蓋体５８からなる病理試料用カセットに於いて、前記枠状基体１１の方形な多孔底面外側１０ｂの３方外壁の外周面１１ａを病理試料の包埋皿５９（図５，６，７，８、９）の３方水密枠内周面１４ａと水密に嵌合し、該カセットのカセットをミクロトームにワンタッチで脱着するアダプターの掛止め部である該カセットの外周面１１ａと多孔底面外側１０ｂの交差部１１ｃとで該カセットを掛止める形状にし、且つ前記枠状基体１１の３方外壁の外周面１１ａの高さと前記包埋皿５９（図７，８、９の左）の３方水密枠内周面１４ａの高さとが殆ど一致する包埋皿開口部２ａを有することを特徴とし、該包埋皿（図８）の残りの１辺には水密枠１４は無く該カセット枠状基体１１の下側底面を該包埋皿上端面４で覆い塞ぐ形状に形成する形態特徴と機能有することを特徴とする病理試料の包埋ブロックを形成する包埋皿。
【請求項１１】
上側に開口部２１を形成し、その下側に多孔性の通液口を有する底面１０を形成した枠状基体１１と、その枠状基体１１の開口部２１に脱着自在に嵌合する多孔性の通液口５８ａを有する蓋体５８からなる病理試料用カセットに於いて、前記枠状基体１１の外壁の外周面１１ａを病理試料の包埋枠１９（図１０、１１、１２，１３）の水密枠内周面１４ａと水密に嵌合する包埋皿開口部２ａを有し、該カセットのカセットをミクロトームにワンタッチで脱着するアダプターの掛止め部である該カセットの外周面１１ａと多孔底面外側１０ｂの交差部１１ｃとで該カセットを掛止める形状にし、且つ前記枠状基体１１の外壁の外周面１１ａの高さと前記包埋枠１９（図１０、１１、１２、１３）の内壁の高さとが殆ど一致し、前記包埋枠１９の開放底部１８に包埋枠用底板１９または汎用包埋皿５４を敷いてその内空間を包埋皿として病理試料の包埋ブロックを形成することを特徴とするバリ無し包埋枠。
【請求項１２】
上側に開口部２１を形成し、その下側に多孔性の通液口を有する底面１０を形成した枠状基体１１と、その枠状基体１１の開口部２１に脱着自在に嵌合する多孔性の通液口５８ａを有する蓋体５８からなる病理試料用カセットに於いて、前記枠状基体１１の外壁の外周面１１ａを病理試料の包埋枠１９（図１０、１１、１２，１３）の水密枠内周面１４ａと水密に嵌合する包埋開口部２ａを有し、該カセットのカセットをミクロトームにワンタッチで脱着するアダプターの掛止め部である該カセットの外周面１１ａと多孔底面外側１０ｂの交差部１１ｃとで該カセットを掛止める形状にし、且つ前記枠状基体１１の外壁の外周面１１ａの高さより前記包埋枠１９の水密枠内周面１４ｇの高さは低いが該包埋皿枠１９の開口部２ａの水密枠１４の厚さは包埋剤３２が該枠状基体１１の外壁の外周面１１ａと該包埋枠１９の水密枠１４ｇの接触尖端部１４ｅに多く溜まらないような厚さ（０．５ｍｍ程）にするか、または該包埋枠１９の開口部２ａの水密枠１４の尖端部１４ｅに内側から外側に傾斜をつけた包埋皿開口部２ａを有し、前記包埋枠１９の開放底部１８に包埋枠用底板１９または汎用包埋皿５４を敷いてその内空間を包埋皿として病理試料の包埋ブロックを形成することを特徴とするバリ無し包埋枠。
【請求項１３】
前記包埋枠１９に於いて、包埋枠内壁１９ｄと開放底部１８に囲まれた病理組織試料と包埋剤充填部の空間である包埋収納部２０が左右または上下で非対称に成るように包埋枠内壁１９を成形し、包埋剤で包埋された試料の包埋ブロックの薄切切片を左右または上下非対称に薄切りして、スライドに貼付・伸展する方向や前記薄切切片内の試料の配列順序を明確にする基準マークを包埋ブロックに成形することを特徴とする前記請求項１１または１２記載のバリ無し包埋枠。
【請求項１４】
前記包埋皿５９や包埋枠１９の開口部２ａに水密に嵌合する前記カセット枠状基体１１に於いて、該カセット外周面１１ａの四方または三方の側壁面をカセット多孔底面外側１０ｂに対して、該カセットをミクロトームにワンタッチに脱着する従来のアダプターに設置するのに邪魔に成らない、直角から僅かながら鈍角なテーパーをつけたことを特徴とする前記請求項８、９、１０，１１，１２，１３に記載のカセット。
【請求項１５】
前記包埋皿５９や包埋枠１９の開口部２ａに水密に嵌合する前記カセット枠状基体１１に於いて、その多孔底面１０に窓口２２を成形したことを特徴とする前記請求項項８、９、１０，１１，１２，１３に記載のカセット及び包埋皿と包埋枠を用いたバリ無し包埋方法。
【請求項１６】
前記包埋皿５９や包埋枠１９の開口部２ａに水密に嵌合する前記カセット枠状基体１１に於いて、その多孔底面１０を前記枠状基体１１の中間部に形成したことを特徴とする前記請求項８、９、１０，１１，１２，１３１、２、３，４，５，６に記載のカセット及び包埋皿と包埋枠を用いたバリ無し包埋方法。
【請求項１７】
前記包埋皿５９や包埋枠１９の開口部２ａに水密に嵌合する前記カセット枠状基体１１に於いて、前記枠状基体１１の厚さを従来のカセット枠状基体の厚さより薄くして、包埋皿とカセットを一体に形成したことを特徴とする前記請求項８、９、１０，１１，１２，１３に記載のカセット及び包埋皿と包埋枠を用いたそのバリ無し包埋方法。
【請求項１８】
前記包埋皿５９や包埋枠１９の開口部２ａに水密に嵌合する前記カセット枠状基体１１の多孔底面１０に窓口２２を形成したことを特徴とする前記請求項８，９，１０，１１，１２，１３に記載のカセット及び包埋皿と包埋枠とそのバリ無し包埋方法に於いて、そのカセット内の一部または内外部に生検試料収納を目的としたＶ字状の収納部分４７を成形し、そこに生検試料を並べて一直線状に検査薄切面５０を合わせる生検試料収納方法。
【発明の詳細な説明】
【０００１】
【発明の属する技術分野】
この発明は、臨床医が病気の診断及び治療方針を決めるために、患者から採取した病理組織試料を薄切して染色標本にして、それを前記臨床医に返送するまでの間における病理組織試料の管理システムの中で用いる該病理試料の包埋ブロックの成形時の包埋皿に関するものである。
【０００２】
また本発明者の先願に係る特願２００１−１０５００９のバリの発生しない病理組織試料用カセット以外の従来のカセットを用いても前記病理組織試料を薄切りする前の状態の病理組織試料の包埋ブロックを形成する際、該包埋ブロックにバリが発生しないようにして、前記薄切り時の切片の厚さを均一にして、病理検査の精度を高めようとするものであると共に、従来の包埋作業工程では包埋皿の構造上従来のカセット周囲にバリが発生して、ナイフや熱にて該バリを排除している。そのバリ取り作業を無くし合理化することと、この従来の包埋皿の包埋法による従来のカセットのバリ取り作業の際に生じる、カセット周囲に記載印字された試料データ面が損傷して包埋ブロック作製後に試料データの読み取りを困難にすることを防止するものである。
【０００３】
【従来の技術】
従来、この種の作業に於いては、臨床医によって各患者から採取された病理組織試料を、各患者名またはその他のデータの記載されたラベル等を貼られた容器に収納して、各患者の属性と臨床診断や所見等が記載された検査依頼書と一緒にして、それらを郵送やメッセンジャー等の適宜の手段で移送している。
【０００４】
臨床医から離れた場所の病理検査側に移送されてきた上記の容器に収納されている各患者の検体試料を、そこで病理医が病理診断する為の標本作製作業前の患者検体の受付・エントリー時にその患者試料容器と一緒に添付されてきている病理診断検査依頼書と、各患者の名前と依頼内容と病理組織試料の状況等を照合して、その病理組織試料がその依頼書の患者のものであることを確認する。
【０００５】
その後、前記受付・エントリー時に於いて臨床医の病理組織試料採取時の各患者の患者ＩＤ番号やカルテ番号にも患者検体の集配員またはメッセンジャーの検体受領時の病理組織試料照合乱数番号にも関係しない、連続スペック番号かサンプル番号で新しくその患者試料番号が記載された別のカセット（約３０年以上前にアメリカで開発された試料処理籠兼試料包埋ブロック枠状基台でミクロトームにワンタッチで脱着できるシステム化の為に、そのアダプターに嵌合する為の大きさ外法は約４０×２８×６ｍｍに成っていてこの外法の位置にアダプターの係止爪が嵌合してカセット枠状基台を固定している。全てのカセットはこの位置を持っている。）にトリミングされたその患者の前記病理試料を収納して、その後標本作製のための薬液処理を行い、各全ての試料をピンセット等で摘んで包埋皿の底部に移して包埋剤で包埋して台木（基台）に付けその包埋剤の凝固後に形成する包埋ブロックの基台の周囲基台にできる包埋剤の余分なバリを削り排除して包埋ブロック試料を完成する。
【０００６】
また、前記先願の特願２００１−１０５００９のバリの発生しない病理組織試料用カセットとその包埋皿を用いた包埋方法では、発明者の出願済みの上側に開口部を形成し、その下側に底面外周面より少ない面積にて突設した多孔支持底板を形成した枠状基体からなるカセット底部を使用して、その専用のバリ無し包埋皿を併用すればバリ無し包埋ブロック試料はできる。しかし、従来のカセットの多くには底面外周面より少ない面積にて突設した多孔支持底板が無く、カセットの試料番号（連続スペック番号やサンプル番号）等の印字プリンターも多くはその形状に合わせた使用に成っている。勿論、突設した多孔支持底板を持つカセット底部用の印字プリンターを作製したり、開口部や多孔支持底板を工夫加工して既成の印字プリンター使用に合わせることもできるが、大多数の既成印字プリンター使用に合う従来のカセット底部を用いたバリ無し包埋皿は無い。
【０００７】
このブロック試料を薄切してスライドグラスに切片を伸展して貼付し、乾燥後脱包埋剤（脱パラフィン）して染色及び封入して染色スライド標本を作製し、それを病理医がそれら各患者の標本試料と依頼書データと既往歴データとを照合して病理診断して、臨床医に病理診断報告を行うものである。
【０００８】
【発明が解決しようとする課題】
この発明の目的は、臨床医の各患者からの採取した生検試料を含む病理組織検体試料の採取時から病理診断報告完了時迄の間の作業において、それらの各患者の検体試料データ（採取試料と依頼書データと既往歴データ）の紛失や混入及び、入れ替わりの人為的なミスによる危険性を無くし、またそのような間違いが生じた場合はその事後でも、何処でトラブルが発生したかを明確にして、その責任の所在を明らかにすることである。
【０００９】
また、上述の作業工程に於いて、人為的な単純なミスで、回復不可能な大きな問題になるトラブルを無くす為に人的作業を短縮若しくは省略して、自動化及び機械化による管理と監視をできる作業工程を増やすことである。
【００１０】
その為に、既に発明者によって発明出願されている固定移送容器の外部やカセットの窓口を通して多孔皿の外部からその中に収納されている病理組織試料が観察確認できるマクロ画像とそれらの試料が臨床側での採取時に記載され附された患者認識データ（患者属性や患者ＩＤや患者カルテ番号等）と病理側での受付整理番号とで、臨床側の患者からの試料採取とその臨床データを含む病理診断検査依頼書データの記載と病理診断依頼提出時から病理検査試料の受領・搬送・受付・切り出し仕分け・薬液処理・包埋・標本作製・既往歴検索・病理診断・データ管理保管・病理報告書発行終了までの全ての作業行程において、統一的に管理使用することである。
【００１１】
その為には、前記カセット内の試料のマクロ画像の観察確認の他に各患者データを確実にカセット試料と連結関連づける試料データ番号やバーコードや二次元データコード等の手段が必要であったが、従来の包埋ブロック作製法ではカセット基体のバリ取り作業中にデータ記載面を傷付け機械的な自動読み取りができなかったので、臨床側からの患者データを病理標本作製行程側にそのまま導入できずにいた。この患者試料データでもあるブロック試料データの記載面を確実に守ることである。
【００１２】
既に発明者によって発明出願されている特願２００１−１０５００９のバリの発生しない病理組織試料用カセットとその包埋皿を用いた包埋方法では、上側に開口部を形成し、その下側に底面外周面より少ない面積にて突設した多孔支持底板を形成した枠状基体からなるカセット底部を使用して、その専用のバリ無し包埋皿を併用すればバリ無し包埋ブロック試料はできる。しかし、従来のカセットの多くには底面外周面より少ない面積にて突設した多孔支持底板が無く、カセットの試料番号（連続スペック番号やサンプル番号）等の印字プリンターも多くはその形状に合わせた使用に成っている。勿論、突設した多孔支持底板を持つカセット底部用の印字プリンターを作製したり、開口部や多孔支持底板を工夫加工して既成の印字プリンター使用に合わせることもできるが、大多数の既成印字プリンター使用に合う従来のカセット底部を用いたバリ無し包埋皿は無い。
【００１３】
その為には従来のバリ無し包埋皿とその包埋方法では、カセットの上側に開口部を形成しアダプター勘合部でもある枠状基体の下側の底面外周面より少ない面積にて突設した多孔支持底板の側面と該多孔支持底板より広い前記枠状基体の底面外周面の交差凹状部面に前記バリ無し包埋皿の開口内周面と包埋皿開口外周壁と内周壁間の面の交差凸状部面で多孔支持底板をその底面積より少ない面積にて突設した枠状基体底部と包埋皿内周を水密に嵌合させているが、この突設部が従来の多くのカセット印字機での印字や従来の包埋皿で包埋する時に邪魔になっている。
【００１４】
【課題を解決するための手段】
この発明は包埋皿（５９）の開口部（２ａ）の周縁外側に、四角形の病理試料用カセットの外側面と水密に嵌合するための水密枠（１４）を一体的に突設する病理試料用バリ無し包埋皿である。
【００１５】
また包埋皿（５９）の開口部（２ａ）の周縁外側に、四角形の病理試料用カセットの全外周面（１１ａ）と水密に嵌合するための四角形の水密枠（１４）を一体的に突設する病理試料用バリ無し包埋皿である。
【００１６】
更に包埋皿（５９）の四角形の開口部（２ａの周縁外側における三方に、四角形の病理試料用カセットの三方の外周面（１１ａ）と水密に嵌合する水密枠（１４）を一体的に突設すると共に、前記四角形の開口部（２ａ）の周縁における残る一方に該病理試料用カセットの多孔底面外側（１０ｂ）と水密に嵌合するための水密上端（４）を上向きに形成する病理試料用バリ無し包埋皿である。
【００１７】
また更に述べればこの発明は、この発明者の先願に係る前記バリ無しカセット枠状基体１１はその多孔底面外側１０ｂ下側に該多孔底面外側１０ｂより少ない面積にて突設した多孔支持底板１３の外周面１３ａと包埋皿の内周面７が水密に嵌合して且つ該バリ無しカセット枠状基体１１の外周面１１ａと包埋皿の外周面８とが殆ど一致する包埋皿とからなる病理組織試料の包埋ブロック用形成器具であった。
【００１８】
しかし、現在多くのカセットの自動印字プリンターでバーコードや二次元データコードやサンプルナンバーや患者名等の患者データを印字するにはカセットの枠状基体部の底面外周面より少ない面積にて突設した多孔指示底板が邪魔になる。
【００１９】
その為には従来の形状のカセットと同様または殆ど類似していて、既成のカセットの自動印字プリンターにセットして印字できて、且つ従来の全ての包埋皿でも包埋可能であり、このカセットの枠状基体に専用の包埋器具や包埋皿で包埋するとバリが付かない包埋皿を発明作製すると非常に便利で且つコストの削減及び自動化がより進むことになる。さらにまた、そのカセットの枠状基体と包埋器具を統一兼用すると包埋器具をカセットの一部と統合でき、より作業工程とコストの削減ができ、自動化がより進むことになる。故に、患者試料の取り間違えや混入や紛失等のトラブルが無くなる。
【００２０】
その為には、従来のバリ無しカセット枠状基体１１の多孔底面外側１０ｂから狭い面積で突設した多孔支持底板が無くともバリ無し包埋ブロックカセットを作製する為に、カセット枠状基体と包埋皿の水密シール面の凹凸面を逆にしてカセット枠状基体の枠状基体の外周面１１ａと多孔底面外側１０ｂ周囲を水密面として利用することである。
【００２１】
その為には、そのバリ無し包埋皿から包埋された包埋ブロックであるカセット枠状基体を取り出す手段として、バリ無し包埋皿５９の水密枠１４の高さをカセット枠状基体の外壁外周面１１ａより低くすることである。
【００２２】
または、そのバリ無し包埋皿から包埋された包埋ブロックであるカセット枠状基体を取り出す手段として、バリ無し包埋皿５９の１辺の水密枠１４を無くしカセット枠状基体の取り出し部にすることである。
【００２３】
または、そのバリ無し包埋皿から包埋された包埋ブロックであるカセット枠状基体を取り出す手段として、バリ無し包埋皿５９の底面を取り除いて水密枠１４を備えた皿ではないバリ無し包埋枠１９を成形して底面は包埋時に板を底に付けて使用する。勿論、底は直ぐ外せるので包埋ブロックカセットは下から押し出せる。
【００２４】
その上にまた、バリ無し包埋皿５９に底が無くなりバリ無し包埋枠１９に成るならば、収納皿されたカセット枠状基体の上下には薬液通過の邪魔になる底がなく周囲に枠だけがあるのでカセット枠状基体１１とバリ無し包埋枠１９とを始めから一緒にしてしまえば、試薬処理の籠の役目と包埋皿の役目とブロック基台としての役目の３役の機能を一つに纏めて且つそれら作業工程の短縮や試料の紛失混入の防止にもなるし、カセット枠状基体１１をより薄くすることが可能になることである。
【００２５】
始めからカセット枠状基体１１をバリ無し包埋枠１９に収納して、一体の包埋皿カセットとして使用できるならば、該枠状基体１１を外さないで包埋作業ができるように該枠状基体１１の多孔底面１０に窓口２２を成形することである。
【００２６】
その上に、始めから包埋枠１９に収納されたカセット枠状基体１１の多孔底面１０に窓口２２があるならば、カセット枠状基体の脱着なしに包埋作業ができるので、出願者が既に発明出願している包埋ゲル固定支持剤と一緒にこれらの病理組織処理カセット器具を用いると包埋作業の自動化も可能になってくる。
【発明の実施の形態】
図１〜図４に示す如く、従来包埋皿（図１）は従来のカセット枠状基体１１を該包埋皿の開口部２ａの水密面のない支持部２に載せて包埋剤３２を該従来のカセットの多孔底面１０に注ぎ包埋ブロックを作製する為にそのブロック試料のカセット枠状基体１１周囲にバリ５７が発生する。それに対して図２〜図４の包埋皿は多孔支持底板１３が従来の他のカセット枠状基体１１の多孔底面外側１０ｂより狭い面積で下向きに突設されている為に、その多孔支持底板１３の外周面１３ａとその外周のカセット枠状基体１１の底面外側１０ｂとの凹状２角面とバリ無し包埋皿の内周面７と上端面４との凸状２角面とで水密に嵌合することによってブロック試料のカセット周囲にバリ５７は発生しない。
【００２７】
しかし、その水密面はカセット側の凸状２角面とバリ無し包埋皿の凹状２角面で水密に嵌合しても同じ効果が有ることは自明なことである。そこで、図５〜図９に示す如くの形状の包埋皿５９にすると発明者によって既に出願されている図２〜図４の前記カセット枠状基体１１の多孔底面外側１０ｂより狭い面積で下向きに突設された多孔支持底板１３がなくとも従来のカセットの形状でもバリ無し包埋皿の水密嵌合部の形状は凹凸が逆にはなるが同じ効果を得ることができる。この該カセット枠状基体１１の形状は種々に作製でき、図３〜図１０の如くに従来の台形や箱形だけではなく倒立台形（図３右）の形状でもバリ無し包埋できる。しかし、この包埋皿の場合は、包埋ブロックを該バリ無し包埋皿から簡単に取り出す為にはカセットの枠状基体１１の取り出し部１６乃至１６ａが必要になる。
【００２８】
そこで、図１０〜図１３に示す如くに図５乃至図６と図９のバリ無し包埋皿５９の収容底部３を取り去り上側開口部２ａも下側包埋枠開放底部１８にも閉鎖された面がない、上下の上側開口部２ａから下側包埋枠開放底部１８が開かれた筒状のバリ無し包埋枠１９を成形して、該カセット枠状基体１１の下側包埋枠開放底部１８側に対して同等より狭く該カセット枠状基体外周面１１ａで囲まれた枠状基体全底面より若干狭い面積に絞り込み、該カセット枠状基体の周辺が載り落ち込まない形状に成形された包埋皿上端面４を持ち、それより下の包埋収納部２０から包埋枠開放底面１８にかけて同等乃至窄まる大きさに成形して且つその最終下側包埋枠開放底部１８の一端に左右或いは上下非対称になる基準マークを成形して、その下面に既成の大型の包埋皿乃至は汎用包埋皿５４または一枚の薄いプレートである（バリ無し包埋枠用底板）２９を敷いて密閉して、包埋剤３２を注入してコールドプレート上に移してパラフィン等の該包埋剤を凝固固化すると、バリ無し包埋ブロック試料を作製することができる。
【００２９】
さらに、この形状のバリ無し包埋枠１９で包埋ブロック試料を作製するとカセット枠状基体１１の四方を水密にすることができバリが完全に付かない上に、包埋枠は包埋皿と異なり底部が無く開放されているので、その底部を上側に押し出せばバリ無しブロックカセット試料が簡単に取り出せる。その包埋時の平面図が図１４であり、カセット枠状基体１１の多孔底面１０より流動の包埋剤３２を注ぎ込む。
【００３０】
さらにまた、図１５〜図１８に示す如くに、カセット枠状基体の多孔底面部１０に窓口２２を成形したり該窓口２２の周囲に生検試料等の小物試料を分別収納する為の小部屋２３を仕切壁２４で区切り成形すると、前記カセット枠状基体１１をバリ無し包埋枠１９に嵌め込んだまま該包埋枠１９の下面の既成の大型の包埋皿乃至は汎用包埋皿５４またはバリ無し包埋枠用底板２９上の薄切検査底面に生検試料等を並べて定着させることができ、バリ無し包埋ブロックカセット試料を作製することができる。
【００３１】
さらにまた、図１９〜図３１に示す如くに、カセット枠状基体１１をバリ無し包埋枠内に予め装着しておき、該枠状基体内に試料組織を収納して該枠状基体１１ごと該バリ無し包埋枠１９の開口部２ａに蓋２６を閉じると、包埋枠１９ごとカセット枠状基体内の試料を自動固定包埋装置にセットして脱水脱脂透徹浸透の薬液処理を実施することができる。この時、該枠状基体１１の多孔底面１０に窓口２２を成形しないカセット底部を使用するのも便利である。それは、手術摘出材料には必ずしもその組織の形状が定まった物ばかりとは限らず、患部の組織を掻き出す摘出材料（フラグメント試料）も有り、それらは生検試料の様にカセットの大きな通液孔から流れ出る危険性が強く、また前記生検試料より多くの量の組織片を処理しなくては成らない場合があります。このような場合の為に、図１９乃至図２０に示すように窓口２２のない多孔底面１０の通液孔の小さめな多孔底面１０のカセット枠状基体１１を成形しておくこともできる
【００３２】
その上にさらにまた、図３２〜図４２とに示す如くに、発明者が既に特許登録を取得している形状のカセット枠状基体の形状を応用すると包埋ブロックカセット試料の薄さをより薄くすることができる。この包埋ブロックカセット試料の薄切時には図３７と図４２の如くにコの字型ミクロトームアダプター用薄型カセット厚さ調整板３３ａを該カセット枠状基体の突条縁にセットして従来のカセットの外法４０×２８×６ｍｍの大きさを確保する。
【００３３】
その上にさらにまた、図３８〜図４１に示す如くに、前記カセット枠状基体１１の突条縁４０や突設容器下縁部４１の形状を同じ方形の大きさに成形し、その方形の外法を水密に覆う形式で嵌合するカセット蓋とその多孔通液面６０内側近くにバリ無し包埋枠用底板差込口４２を持つカセット蓋兼バリ無し包埋枠１９ｂを成形すると、試料の薬液処理後の蓋部であるカセット蓋兼バリ無し包埋枠１９ｂを廃棄することなくバリ無し包埋枠用底板差込口４２から差込用バリ無し包埋枠用底板４３を差し込み、カセット蓋兼バリ無し包埋枠１９ｂを突設容器下縁部４１に嵌合させて包埋皿として使用するとバリ無し包埋ブロックカセット試料ができる。この時、差込用バリ無し包埋枠用底板４３の差し抜き操作は取り出し取手部４５を持って行う。また、カセット蓋兼バリ無し包埋枠１９ｂの内側の奥の一角には基準マーク５が成形されており、それに当たる部分の差込用バリ無し包埋枠用底板４３には基準マーク用切り込み４４が成形されているので、この包埋方法で包埋された包埋ブロックはバリ無しで基準マーク５付きの包埋ブロックを作製することができる。勿論、この包埋ブロックカセットの薄切時にもコの字型ミクロトームアダプター用薄型カセット厚さ調整板３３ａを使用できる。
【００３４】
さらにまた、この発明は全形状のカセット枠状基体の凸状２角面とバリ無し包埋皿の凹状２角面で水密に嵌合してバリの発生付着を防止しており、カセット枠状基体に２角面が在ればどの位置にでもバリ無し包埋をすることができる。故に、そのカセット枠状基体の厚さも変化させることができ、図１１〜図３１に示したカセット枠状基体１１とバリ無し包埋枠１９の厚さを薄くして、該カセット枠状基体１１をバリ無し包埋枠１９にセット嵌合した全体の厚さを従来のカセット枠状基体の厚さと同等の厚さに成形して包埋機能をその部分に保持した包埋皿カセット（図４９〜図５３）を実現できた。この時、図１２に示す如くにミクロトーム用アダプターの嵌合時に邪魔にならない程度に該カセット枠状基体１１外側面に該バリ無し包埋枠１９のバリ無し包埋皿水密枠内周面１４ａと同じテーパー１４ｃを付けると完成したバリ無し包埋ブロックカセットを外し取り出し安い。図２３〜図２８の包埋皿カセット蓋の包埋枠留め羽２６ｄは包埋枠の横方向の保持の為にある。
【００３５】
その上にさらにまた、また、既に出願人が既に発明出願している包埋ゲル固定支持剤４６を用いて図４３〜図４８と図５２乃至図５３に示す如くの（生検試料）固定移送板５５を用いると、生検試料も前記バリ無し包埋枠１９内に収まっている前記カセット枠状基体１１に成形された前記窓口２２を通して該カセット枠状基体１１を外すことなく包埋作業を完了することができる。この事は、該包埋ゲル固定支持剤４６と該（生検試料）固定移送板５５と該バリ無し包埋皿カセットを用いると包埋作業のオートメーション化ができるということになる。
【００３６】
さらにまた、図４３〜図４６は生検試料３１をその位置番号５２の順番に生検試料Ｖ字谷収納箇所４７に並べてそこに前記包埋ゲル固定支持剤４６を流し込み試料裏打ち板４９に該生検試料３１を定着保持すると、その該生検試料３１の直径の大小に関わらずその該生検試料３１はＶ字谷に跨る様に収まり該生検試料３１の中心が一列に同一直線上に並ぶ。このことによって、該生検試料Ｖ字谷収納箇所４７に並んだ該包埋ゲル固定支持剤４６で一つに纏められた該生検試料３１は試料包埋薄切面５０を包埋皿収納底部３またはバリ無し包埋枠様底板２９に付けて包埋すれば、全ての該包埋ゲル固定支持剤内の該生検試料３１は最大面積一緒に纏めて薄切されることになる。図４３と図４４の固定移送板５５の試料裏打ち板４９は厚紙か多孔性の例えばポリビニールアルコール性の板が良い。特に、ポリビニールアルコール性の試料裏打ち板を用いると患者データの記載もでき、臨床側の簡便固定と裏打ち（試料裏打ち箇所５６）にも使用でき、薄切もできるので図４５と図４６の如くにそのまま包埋することもできる。図４７と図４８は固定移送板のその他の実施例である。
【００３７】
この発明を上述の実施形態について説明したが、その実施形態だけに限定されるものでなく、その実施形態をさらに効果的に実施するための具体的技術手段を付加したり、或いはその実施形態を部分的に変更したりすることが可能である。
【００３８】
例えば、前記のバリ無し包埋皿カセットを使用した場合には試料の混入や入れ替わりが完全に無くなり、図２９に示す如くの複数連なる汎用包埋皿５４ａで同時包埋が可能になり、包埋作業の能率化がより進む。
【００３９】
【発明の効果】
この発明は上述のとおり、カセット枠状基体の外周面と底部の交わる凸状２角面或いは１面とバリ無し包埋皿の水密枠と包埋皿上端面の交わる凹状２角面或いは１面とで包埋皿収容底部上の包埋剤がカセット枠状基体の外周面に溢れ出ない様に水密にカセット枠状基体が包埋皿上端面上の水密枠に嵌合することを特徴としていて、その発展形であるバリ無し包埋枠の場合は全周囲の水密枠の高さがカセット枠状基体の外周面の高さ即ち枠状基体の厚さと同じであっても包埋作業の完成した包埋ブロックカセットは枠状基体の包埋枠開放底部を上に押し出すことで簡単に取り出せるのでバリ無し包埋皿の様なカセット取り出し部は必要ない。そこで、カセット枠状基体多孔底面とバリ無し包埋枠の開放底部蓋との間、またカセット多孔底面に窓口を成形した場合には包埋皿カセットの蓋とバリ無し包埋枠開放底部側蓋との間に多孔面で完全に囲まれた空間ができ、ここを試料の収納部として使用すると包埋皿カセットとして包埋機能が繰り込まれたカセット出来上がる。
【００４０】
このバリ無し包埋皿及びバリ無し包埋枠のバリ無し機能を用いるとそのカセット枠状基体の厚さをより薄く成形することが可能になり、特に包埋皿カセットを用いると生検試料等の小型試料から手術摘出し切り出しトリミングされた大型試料に至るまで、その試料の大きさによって小型試料は薄型カセット枠状基体内部に収納して、大型試料はバリ無し包埋枠の試料収納部に収納して固定脱水脱脂透徹浸透の自動固定包埋装置の薬液処理に掛けることができる。
【００４１】
またこの発明の包埋皿カセットは、カセット枠状基体が始めから包埋枠に装着されているので包埋時には包埋皿の選択や装着の必要がなく、例えば１種類の底板（或いは汎用包埋皿）の上に包埋皿カセットを設置して蓋を開けて多孔底面の窓口から試料の検査薄切面を下の底板（或いは汎用包埋皿）の上に設置して流動包埋剤を注入して冷却するのみで良い。
【００４２】
また、このカセット枠状基体は薄くできるので、薄切時には厚さ調整板に重ねてミクロトームアダプターにセットして、ブロック試料保管収納時には従来のカセット枠状基体より薄いのでそのブロックカセット試料も薄く収納スペースが少なくて済む。
【００４３】
また、カセット枠状基体の形状は従来の形状にも合わせて成形することができるので、従来のカセット印字プリンターにも使用可能である。
【００４４】
また、包埋ゲル固定支持剤と固定移送板と一緒に用いると、一切試料に触ることなく複数の生検試料を１試料として包埋作業ができ、小型試料の包埋作業の自動化も可能になった。勿論、患者氏名を固定移送板に記載しておくと後からの確認も確実にできる。
【図面の簡単な説明】
【図１】（Ａ）は従来の包埋皿の平面図である。（Ｂ）は図１ＡのＩＢ−ＩＢ線部の断面図である。
【図２】本出願人の先願によるバリ無し包埋皿の平面図である。
【図３】（Ａ）は図２のＩＩＩＡ−ＩＩＩＡ線部の断面図とバリ無しカセットの枠状基体の断面図である。（Ｂ）は図２Ａとは異なる形状のバリ無しカセット枠状基体とバリ無し包埋皿の図２のＩＩＩＡ−ＩＩＩＡ線部に相当する部分の断面図である。
【図４】バリ無し包埋皿とバリ無しカセットと基体の断面図である。
【図５】（Ａ）は本発明の包埋皿の実施例の斜面図である。（Ｂ）は図５Ａに於ける他の実施例の斜面図である。
【図６】図５Ａの平面図である。
【図７】（Ａ）は図５〜７の包埋皿と嵌合するカセット枠状基体の実施例の断面図である。（Ｂ）は図７Ａと異なる実施例の断面図である。（Ｃ）は包埋皿水密枠とバリ無し包埋皿の実施例の側面図である。（Ｄ）は図７Ｃと異なる実施例の側面図である。（Ｅ）は図７Ｄと異なる実施例の側面図である。（Ｆ）は図７Ｅと異なる実施例の側面図である。
【図８】（Ａ）は図７Ａのカセット枠状基体の縦断面図である。（Ｂ）は図８Ａのカセット枠状基体を包埋皿に嵌合する実施例の縦断面図である。（Ｃ）は図８Ｂの包埋皿の一部分の断面図である。（Ｄ）は図７Ｂの縦断面図である。（Ｅ）は図８Ｄの部分を包埋皿に嵌合する実施例の縦断面図である。（Ｆ）は図８Ｅ一部分の縦断面図とその一部分の拡大図である。
【図９】（Ａ）は図７Ａの他の実施例の側面図である。（Ｂ）は図９Ａのカセットを嵌合する包埋皿の側面図である。（Ｃ）は図９Ａと異なる実施例の側面図である。（Ｄ）は図９Ｃのカセットを嵌合する包埋皿の側面図である。（Ｅ）は図９Ｄの平面図である。
【図１０】図５Ａ及び図５Ｂと異なる実施例の包埋皿斜面図である。
【図１１】この発明のバリ無し包埋枠の実施態様を示す縦断面図である。
【図１２】図１１のＸＩＩ−ＸＩＩ線部の断面図である。
【図１３】（Ａ）は他の実施例のカセット枠状基体の断面図である。（Ｂ）は図１３Ａの部分と勘合するバリ無し包埋枠である。（Ｃ）は図１３Ｂの部分を載置するための汎用包埋皿の縦断面図である。
【図１４】図１３Ａ，１３Ｂ，１３Ｃの各パーツを嵌合した時の平面図である。
【図１５】他の実施例を示すカセット枠状基体の平面図である。
【図１６】図１５のＸＶＩ−ＸＶＩ線部の縦断面図である。
【図１７】図１６の部分のバリ無し包埋枠に嵌合されて包埋皿カセット蓋が閉じられた状態を示す一例の実施態様の縦断面図である。
【図１８】図１７のＸＶＩＩ−ＸＶＩＩ線部の断面図である。
【図１９】図１７と別の実施形態の縦断面図である。
【図２０】図１９の実施形態で他の箱状形状のカセット枠状基体を嵌合したバリ無し包埋枠の状態を示す一例の実施形態の縦断面図である。
【図２１】図２０の箱状カセット枠状基体を用いる際に於ける包埋時の枠状基体とばり無し包埋枠とバリ無し包埋枠用底板の関係を示す縦断面図である。
【図２２】一般的に普及している従来のカセット枠状基体の多孔底面に窓口を付けて、バリ無し包埋枠に嵌合して包埋皿カセット蓋を閉じた状態を示す一例の実施形態の縦断面図である。
【図２３】図２２のＸＸＩＩＩ−ＸＸＩＩＩ線部の横断面図である。
【図２４】図２２の実施例の各パーツの側面図である。
【図２５】図２２の一例の各パーツの平面図である。
【図２６】図２５の１つのパーツである包埋皿カセット蓋の裏面図の一例である。
【図２７】図２４の各パーツが嵌合セットされた形態の側面図である。
【図２８】図２７の平面図である。
【図２９】バリ無し包埋枠の包埋時に使用できる三連汎用包埋皿の一例の平面図である。
【図３０】（Ａ）は薄型カセット枠状基体の薄切時に用いられるミクロトームアダプター用薄型カセット厚さ調整板と枠状基体との関係と形状を示す断面図である。（Ｂ）は図３１Ａの一部分の他の実施例を示す断面図である。
【図３１】（Ａ）ミクロトームアダプターと包埋ブロックカセットとの関係を示す側面図である。（Ｂ）は図３１Ａと異なる実施例の断面図である。
【図３２】（Ａ）はこの出願人の先願特許の薄型カセット枠状基体の形状を示す斜面図である。（Ｂ）は図３２Ａと別の実施例の断面図である。（Ｃ）は図３２Ｂと別の実施例の断面図である。
【図３３】図３２のカセット枠状基体とバリ無し包埋枠との関係を示す斜面図である。
【図３４】（Ａ）は図３３のカセット枠状基体とバリ無し包埋枠またバリ無し包埋皿との関係を示す縦断面図である。（Ｂ）は図３４Ａの一部分に於ける他の実施例の断面図である。
【図３５】図３４Ａの包埋作業を示す縦断面図である。
【図３６】図３５の包埋作業で作製されたバリ無し包埋ブロックカセットとその薄型カセット厚さ調整板の関係を示す縦断面図である。
【図３７】図３６の各パーツの斜面図である。
【図３８】図３４のその他の実施例の斜面図である。
【図３９】図３８のパーツ説明の斜面図である。
【図４０】図３８の試料籠としてのカセット説明の縦断面図である。
【図４１】図４０の包埋時の使用説明の縦断面図である。
【図４２】図３６の薄型カセット厚さ調整板とカセットミクロトームアダプターとの関係を示す側面図である。
【図４３】（Ａ）は固定移送板の一例を示す平面図である。（Ｂ）は図４３ＡのＸＸＸＸＩＩＩ−ＸＸＸＸＩＩＩ線部の断面図である。
【図４４】図４３Ｂの断面図の拡大図の生検試料と試料裏打ち板と包埋ゲル固定支持剤との関係を示す断面図である。
【図４５】生検試料と試料裏打ち板と包埋ゲル固定支持剤の使用法と位置関係を示す図である。
【図４６】図４４と図４５の包埋作業の縦断面図である。
【図４７】図４３Ａの他の実施例の平面図である。
【図４８】図４７の他の実施例の斜面図である。
【図４９】本発明のバリ無し包埋皿カセットと従来のカセットの厚さの比較を示す図である。
【図５０】図２２のその他の実施例の各パーツの縦断面図である。
【図５１】バリ無し包埋皿カセットの代表例の厚さの比較を示す断面図である。
【図５２】バリ無し包埋皿カセットの包埋時の厚さの比較を示す断面図である。
【図５３】バリ無し包埋皿カセットの薄切時と収納時の厚さの比較を示す断面図である。
【符号の説明】
１　　　　　包埋皿保持部枠状基体
２　　　　　保持部
３　　　　　収容底部
４　　　　　包埋皿上端面
５　　　　　基準マーク
６　　　　　包埋皿のタブ
７　　　　　包埋皿の内周面
８　　　　　包埋皿の外周面
９　　　　　（試料）データ記載面
１０　　　　カセット多孔底面
１０ａ　　　　枠状基体の中央部に成形された多孔底面
１０ｂ　　　　カセット多孔底面外側
１１　　　　カセット枠状基体
１１ａ　　　　　　　カセット枠状基体の外周面
１１ｂ　　　　カセット枠状基体の蓋係止溝
１１ｃ　　　　カセットの外周面と多孔底面外側の交差部
１２　　　　カセットアダプターの掛止め位置
１３　　　　多孔支持底板の外周面
１４　　　　包埋皿水密枠
１４ａ　　　　包埋皿水密枠内周面
１４ｂ　　　　包埋皿水密枠外周面
１４ｃ　　　　テーパーの付いた包埋皿水密枠
１４ｄ　　　　バリ無し包埋水密枠側係止突起
１４ｅ　　　　水密枠先端部
１４ｆ　　　　カセット側壁面形状に合わせた形状
１４ｇ　　　　　カセット枠状基体外壁外側面より低い水密枠
１５　　　　カセット枠状基体外側面
１６　　　　カセット取り出し部
１６ａ　　　カセット取り出し凹部
１７　　　　箱形カセット枠状基体側面
１８　　　　包埋枠開放底部
１９　　　　バリ無し包埋枠
１９ａ　　　　バリ無し包埋枠開放底部側係止突起
１９ｂ　　　　カセット蓋兼バリ無し包埋枠
１９ｃ　　　　多孔板
１９ｄ　　　　包埋枠内壁
２０　　　　包埋収納部
２１　　　　カセット開口部
２２　　　　窓口
２３　　　　生検収納小部屋
２４　　　　小部屋仕切壁兼補強壁
２５　　　　窓口枠兼仕切補強壁
２６　　　　包埋皿カセットの蓋
２６ａ　　　　包埋皿カセット蓋係止片
２６ｂ　　　　包埋皿カセット蓋の係止突片
２６ｃ　　　　　　　包埋皿カセット蓋のタブ
２６ｄ　　　　　　　包埋皿カセット蓋の包埋枠留め羽
２７　　　　バリ無し包埋枠開放底部側蓋
２８　　　　試料収納部
２９　　　　バリ無し包埋枠用底板
３０　　　　包埋皿連通流出部
３１　　　　生検（小物病理組織）試料
３２　　　　包埋剤
３３　　　　ミクロトームアダプター用薄型カセット厚さ調整板
３３ａ　　　　コの字型ミクロトームアダプター用薄型カセット厚さ調整板
３４　　　　空気抜き口
３５　　　　カセットはめ込み突起
３６　　　　ミクロトーム（薄切）刀
３７　　　　通常のカセットの厚さ
３７ａ　　　　薄型カセットの厚さ
３８　　　　カセットミクロトームアダプター
３９　　　　ミクロトームブロック固定部
４０　　　　突条縁
４１　　　　突設容器下縁部
４２　　　　バリ無し包埋枠用底板差込口
４３　　　　差込用バリ無し包埋枠用底板
４４　　　　基準マーク用切り込み
４５　　　　取り出し取手部
４６　　　　包埋ゲル固定支持剤
４７　　　　生検試料Ｖ字谷収納箇所
４８　　　　試料裏打ち板保持突起
４９　　　　試料裏打ち板
５０　　　　試料包埋薄切面
５１　　　　ピンセット
５２　　　　試料位置番号
５３　　　　患者名等データ記載箇所
５４　　　　汎用包埋皿
５４ａ　　　　三連汎用包埋皿
５５　　　　固定移送板
５５ａ　　　　固定移送板の多孔底面
５６　　　　試料裏打ち箇所
５７　　　　バリ
５８　　　　カセットの蓋体
５８ａ　　　　多孔性通液口
５９　　　　バリ無し包埋皿
６０　　　　多孔通液面
【図１】
2004125631.tif 000003
【図２】
2004125631.tif 000004
【図３】
2004125631.tif 000005
【図４】
2004125631.tif 000006
【図５】
2004125631.tif 000007
【図６】
2004125631.tif 000008
【図７】
2004125631.tif 000009
【図８】
2004125631.tif 000010
【図９】
2004125631.tif 000011
【図１０】
2004125631.tif 000012
【図１１】
2004125631.tif 000013
【図１２】
2004125631.tif 000014
【図１３】
2004125631.tif 000015
【図１４】
2004125631.tif 000016
【図１５】
2004125631.tif 000017
【図１６】
2004125631.tif 000018
【図１７】
2004125631.tif 000019
【図１８】
2004125631.tif 000020
【図１９】
2004125631.tif 000021
【図２０】
2004125631.tif 000022
【図２１】
2004125631.tif 000023
【図２２】
2004125631.tif 000024
【図２３】
2004125631.tif 000025
【図２４】
2004125631.tif 000026
【図２５】
2004125631.tif 000027
【図２６】
2004125631.tif 000028
【図２７】
2004125631.tif 000029
【図２８】
2004125631.tif 000030
【図２９】
2004125631.tif 000031
【図３０】
2004125631.tif 000032
【図３１】
2004125631.tif 000033
【図３２】
2004125631.tif 000034
【図３３】
2004125631.tif 000035
【図３４】
2004125631.tif 000036
【図３５】
2004125631.tif 000037
【図３６】
2004125631.tif 000038
【図３７】
2004125631.tif 000039
【図３８】
2004125631.tif 000040
【図３９】
2004125631.tif 000041
【図４０】
2004125631.tif 000042
【図４１】
2004125631.tif 000043
【図４２】
2004125631.tif 000044
【図４３】
2004125631.tif 000045
【図４４】
2004125631.tif 000046
【図４５】
2004125631.tif 000047
【図４６】
2004125631.tif 000048
【図４７】
2004125631.tif 000049
【図４８】
2004125631.tif 000050
【図４９】
2004125631.tif 000051
【図５０】
2004125631.tif 000052
【図５１】
2004125631.tif 000053
【図５２】
2004125631.tif 000054
【図５３】
2004125631.tif 000055